(57)【要約】      （修正有）【課題】給水などの手間がかからず生きた植物と同等の美しさを長期間に亘って維持するプリザーブド植物を利用した盆栽を提供する。【解決手段】盆栽で使用されている生きた草木２５をプリザーブド植物２３に置き換え、盆栽で生きた草木を育てる土壌２２をプリザーブド植物が固定可能な充填材３２に置き換える。あるいは、少なくとも１つのプリザーブド植物２３と少なくとも１つの生きた草木２５とを１つの盆栽に共存させる。この際、盆栽へ給水される水分によりプリザーブド植物２３が侵されることがないよう、盆栽の土壌２２からプリザーブド植物２３への水分の浸透を阻止する遮水手段２３ａ、２３ｂ、３１、３２あるいは区画手段を新たに設ける。プリザーブド植物２３としては、プリザーブド苔が使用可能である。【選択図】図２
0003194240.tif 000002
【実用新案登録請求の範囲】
【請求項１】
鉢内に配置された植物を利用して自然を模した景観を造形する盆栽において、
生きている植物の代替となるプリザーブド植物と、
生きている草木を育てる土壌の代替となる、前記プリザーブド植物が固定可能な充填材と、を含むことを特徴とする盆栽。
【請求項２】
鉢内に配置された植物を利用して自然を模した景観を造形する盆栽において、
前記盆栽には、少なくとも１つの生きている植物と、少なくとも１つのプリザーブド植物が共存し、
盆栽へ給水された水により前記プリザーブド植物が侵されないよう、前記盆栽が、盆栽の土壌からプリザーブド植物への水分の浸透を阻止する区画手段もしくは遮水手段を備えていることを特徴とする盆栽。
【請求項３】
前記区画手段が、鉢の内部の一部を区画する仕切壁、または鉢の内部に配置される複数の容器であること、あるいは分離された鉢を組み合わせて１つの情景を形成する組合せ式鉢であることを特徴とする、請求項２に記載の盆栽。
【請求項４】
前記遮水手段が、前記プリザーブド植物と前記土壌との間に介在し、前記プリザーブド植物を載置または固定する遮水性の台板であること、もしくは前記プリザーブド植物を載置または固定する充填材を収容して前記土壌内に埋め込まれる遮水性の容器であることを特徴とする、請求項２に記載の盆栽。
【請求項５】
前記プリザーブド植物がプリザーブド苔である、請求項１から請求項４のいずれか一に記載の盆栽。
【請求項６】
植物を利用して自然を模した景観を造形する盆栽に使用される鉢において、
当該鉢が、鉢の底から上方に延びて当該鉢の内部の一部を区画する仕切壁を備えていること、当該鉢内に少なくとも２つの分離した容器が配置されていること、もしくは当該鉢が複数の鉢に分離され、これら分離された鉢を組み合わせて１つの鉢を構成する組合せ式鉢であること、を特徴とする盆栽に使用される鉢。
【考案の詳細な説明】
【技術分野】
【０００１】
本考案は、プリザーブド植物を利用した盆栽、並びに同盆栽に使用するための盆栽用の鉢に関する。
【背景技術】
【０００２】
花を中心とした植物を愛でる習慣は、古来人間の営みの中でも重要な地位を占めるものであった。この際に対象とされる植物は、勿論自然に生育する植物が主なものとはなるが、植物には人為的に手を加えることができることから人の美的創作意欲を刺激するものともなり、このような人為的に手が加えられた植物もまた人の鑑賞する対象となってきた。人為的に手を加える例として、自生する植物自身に対しても可能ではあるが、広く知られているものには、鉢植え、生け花、盆栽などが含まれる。本明細書では、「鉢植え」とは植物を植木鉢に移して栽培するもの、「生け花」とは花を中心とした草木を切り取って鑑賞用に再配置して供するもの、「盆栽」とは鉢植えの一種ではあるが、植物を利用して庭や自然の景観を模して鉢全体を鑑賞用に造形したもの、との一応の区分をする。本願考案では、この内の盆栽を対象としている。
【０００３】
これとは別に、近年「プリザーブドフラワー」なるものが普及している。英語のプリザーブ（preserve）は「保存」を意味し、一般に新鮮な生花を脱水作用のある有機溶剤などの特殊な液に漬けて脱水、脱色し、次に保存液である不揮発性溶液で花の水分と置換した後、着色液に漬けて乾燥させるなどの一連の工程を経ることで、植物を長期保存可能な状態に置き換えている。「ドライフラワー」と呼ばれる単に乾燥させた植物とは異なり、生の植物と比べても遜色のない瑞々しい質感と柔らかさが得られ、又退色することもなく長期の保存に耐えるという特徴を有している。従来技術において「プリザーブドフラワー」としては、その名前が示すように主に「花」、もしくはその茎、葉などが対象とされていた（例えば、特許文献１参照。）。本願明細書では、花（フラワー）に限定することなく、その他の草木や、特にはコケ植物などをも対象に含めてプリザーブ処理をされたものを総称して「プリザーブド植物」と呼ぶものとする。
【０００４】
コケ植物は、水・ミネラル・光合成産物を植物体全体に輸送するための組織である維管束を有しない植物であることから一般に「非維管束植物」と呼ばれ、他の植物から区別されている。その中には、蘚類、苔類、ツノゴケ類が含まれるとされる。コケ植物は維管束を持たないために大きな植物に育つことはなく、数ｍｍから数ｃｍの高さまでしか成長しないものがほとんどである。温暖で湿潤な環境で成長し、一般の草木等と比較すると人為的な栽培は必ずしも容易ではない。しかしながら、このコケ植物が大きく成長しない点が自然の景観をミニチュア化して表現する盆栽にとっては好適であり、盆栽中の草木や岩などの装飾物の周囲に配置されるなどしてコケ植物は盆栽に広く使用されている。
【先行技術文献】
【特許文献】
【０００５】
【特許文献１】特開２０１１−１２６２３４号公報
【考案の概要】
【考案が解決しようとする課題】
【０００６】
上述したように、従来技術におけるプリザーブド植物の応用は、いわゆるフラワーアレンジメントや、花束、ブーケなど、特許文献１に例を示すように「生け花」の領域において生きている花をプリザーブドフラワーに置き換えることが主なものであった。生きている植物を対象にして人為的に手を加える園芸技法として上述した「盆栽」があるが、プリザーブド植物を盆栽、あるいはこれを模した盆栽風置物に応用される例は従来技術では見られなかった。盆栽は、上述のように植物を対象としながらも鉢全体を庭や自然の景観に模して造形するものである点で「生け花」等の他のフラワーアレンジメントとは明らかに一線を画するものであり、このような差異は、プリザーブド植物を応用する盆栽においても同様に言えることである。
【０００７】
したがって本願考案は、プリザーブド植物をこれまで応用がされていなかった盆栽の分野にも応用し、プリザーブド植物の長所を生かしてその適用範囲を拡大することを意図するものである。盆栽に使用する場合、特に給水が必須となる生の植物と、水が浸透すると退色などにより劣化し易いことから水を極端に嫌うプリザーブド植物との共存には技術的な課題が存在していた。本考案ではこれらの技術的課題をも解消し、上述したプリザーブド植物の新たな応用分野として盆栽への適用を可能にすることを目的としている。なお、一般に「盆栽」は、生きている植物の成長に人為的な手を加えることで好みの形態を作り出す園芸手法であるが、「盆栽」を、植物を利用して自然の景観を模した造形物を形成することと捉えるならば、その対象は生きている植物に限定されることなく、プリザーブ処理がされた植物が利用される場合においても、広義の「盆栽」の中に含まれ得るものと解される。本願明細書でもそのような解釈の下に、使用されている植物の内の少なくとも１つがプリザーブ処理がされた植物、すなわちプリザーブド植物に置き換えられた「盆栽」を対象とするものである。
【課題を解決するための手段】
【０００８】
本考案は、いわゆるフラワーアレンジメントの分野とは一線を画し、創造性、芸術性、審美性の観点からもこれらとは異なる「盆栽」の分野において、プリザーブド植物を使用した造形物である盆栽を提供するもので、具体的には以下の内容を含む。
【０００９】
すなわち、本考案に係る１つの態様は、鉢内に配置された植物を利用して自然を模した景観を造形する盆栽であって、生きている植物の代替となるプリザーブド植物と、生きている草木を育てる土壌の代替となる、前記プリザーブド植物が固定可能な充填材とを含むことを特徴とする盆栽に関する。
【００１０】
本考案に係る他の態様は、鉢内に配置された植物を利用して自然を模した景観を造形する盆栽であって、盆栽には、少なくとも１つの生きている植物と、少なくとも１つのプリザーブド植物が共存し、盆栽へ給水された水により前記プリザーブド植物が侵されることがないように、前記盆栽が、盆栽の土壌からプリザーブド植物への水分の浸透を阻止する区画手段もしくは遮水手段を備えていることを特徴とする盆栽に関する。
【００１１】
前記区画手段は、鉢の内部の一部を区画する仕切壁により、または鉢の内部に配置される複数の容器により構成すること、あるいは分離された鉢を組み合わせて１つの景観を形成する組合せ式鉢による構成することができる。また前記遮水手段は、前記プリザーブド植物と前記土壌との間に介在し、前記プリザーブド植物を載置または固定する遮水性の台板により構成すること、もしくは前記プリザーブド植物を載置または固定する充填材を収容して前記土壌内に埋め込まれる遮水性の容器により構成することができる。
【００１２】
以上のプリザーブド植物は、プリザーブド苔とすることができる。
【００１３】
本考案に係るさらに他の態様は、植物を利用して自然を模した景観を造形する盆栽に使用される鉢であって、当該鉢が、鉢の底から上方に延びて当該鉢の内部の一部を区画する仕切壁を備えていること、当該鉢内に少なくとも２つの分離した容器が配置されていること、もしくは当該鉢が複数の鉢に分離され、これら分離された鉢を組み合わせて１つの鉢を構成する組合せ式鉢であることを特徴とする盆栽に使用される鉢に関する。
【考案の効果】
【００１４】
本考案の実施により、給水の手間を弄することなく自然の状態に近いプリザーブド植物を利用した造形物、すなわち盆栽や盆栽風置物の提供が可能となり、あるいはプリザーブド植物と生きた草木との共存を可能にして盆栽造形時の選択肢を増やすという効果を奏するものとなる。
【図面の簡単な説明】
【００１５】
【図１】本考案の実施の形態に係る盆栽を示す斜視図（ａ）および断面模式図（ｂ）である。
【図２】本考案の他の実施の形態に係る盆栽を示す断面模式図である。
【図３】本考案のさらに他の実施の形態に係る盆栽、並びに盆栽用の鉢を示す断面模式図である。
【図４】本考案のさらに他の実施の形態に係る盆栽、並びに盆栽用の鉢を示す斜視図である。
【考案を実施するための形態】
【００１６】
本考案の第１の実施の形態に係る盆栽について、図面を参照して説明する。図１は、本実施の形態に係る盆栽１を示しており、この内、図１（ａ）は斜視図、（ｂ）はその断面模式図を示す。両図において、盆栽１は、造形物全体を収納して支える鉢１１と、鉢１１内部に敷き詰められて基礎部分を形成する充填材１２（図１（ｂ）参照）と、充填材１２の上に配置されたプリザーブド植物１３と、その他に飾り木１４、岩１５、そして充填材１２の表面の露出した部分を覆う化粧砂１６とから構成されている。本実施の形態に係る盆栽１は、生きている草木が使用されていない点に特徴を有する。
【００１７】
鉢１１は、従来技術で盆栽用に使用される鉢と同一で良いが、盆栽とは異なって給水が不要であるため、鉢の底面に排水孔を設ける必要は必ずしもない。鉢１１の材質としては、プラスチック、陶磁器、ガラス、金属など、強度的要件を備えるものであれば任意である。充填材１２は、本実施の形態では生け花用給水スポンジ（フローラルフォーム）を使用している。これはフェノール樹脂、ポリウレタン樹脂などからなり、一般には大手供給会社の名前をとって「オアシス」と呼ばれている。ただし、本実施の形態では生の草木を使用していないことから給水の必要性はなく、したがって本品に限らず、例えば発泡スチロールなどの、以下に述べる各要素を鉢１１に固定できるものであればその他の材料が用いられてもよい。盆栽１全体の固定が確保できるよう、充填材１２は鉢１１に接着固定されていることが望ましい。
【００１８】
プリザーブド植物１３として、本実施の形態ではプリザーブ処理がされた苔（コケ）を使用しているが、他のプリザーブ処理がされた植物が使用されていてもよい。図では幾つものプリザーブド植物１３が使用されているが、その数は任意である。飾り木１４は、本実施の形態では乾燥木（枯れ木）を使用しているが、これはプリザーブ処理がされた木の枝でもよく、あるいはプラスチック、金属、陶器などの他の材料で作られたものが使用されてもよい。飾り木１４が生きた草木である場合には、後に述べる第２の実施の形態以降に示す態様となる。岩１５は、ここでは岩状の小石を利用しているが、他の材料が用いられても良い。化粧砂１６は、盆栽用として市販され、一般に使用されているものでよく、充填材１２を覆ってこれを隠し、表面を装飾するものである。自然色のままであってもよく、砂や別の材料の表面を金や銀その他の色の塗料で覆ったものであってもよい。プリザーブド植物１３、飾り木１４、岩１５、化粧砂１６は、接着剤などを使用して充填材１２に固着されていることが望ましい。
【００１９】
なお、本実施の形態で示す盆栽１に使用されている上述した構成要素は、単に一例を示すものであって、垣根、築地、池、滝などのミニチュア品、小動物の置物など、他の要素が追加されてもよい。また、飾り木１４、岩１５、化粧砂１６など（これらをまとめて「装飾物」という。）の図示した構成要素は必ずしも必須の要素ではなく、他のものに置き換えられても、あるいは除外されることでもよい。但し、本願考案の趣旨から、盆栽１には、少なくとも１つのプリザーブド植物が使用されるものとなる。
【００２０】
以上、本実施の形態に係る盆栽１によれば、盆栽の生きている植物の代替としてプリザーブド植物が使用され、土壌の代替として充填材１２が使用されていることにより、従来技術の盆栽に比べて以下のような特徴を有するものとなる。
１．プリザーブド植物の利用により、生きている植物を使用したものと比較しても全く遜色のない、人の鑑賞に耐え得る盆栽や盆栽風置物を提供することができる。
２．生きた植物を使用していないために給水の必要がなく、旅行などの外出にも支障を生ぜず、しかもプリザーブド植物の特性として長期間に亘ってメンテナンスフリーでの鑑賞が可能となる。
３．生きた植物や土壌が使用された場合には、海外への持ち出し時に検疫や輸入規制などの障害があるが、プリザーブド植物の場合にはそのような問題が生じない。
４．日本文化の普及によって海外でも盆栽の人気が高まっているが、上記項目３とも関連して海外からの旅行客のお土産としても好適となり、日本文化の普及にも貢献するものとなり得る。
【００２１】
次に、本考案の第２の実施の形態に係るプリザーブド植物を使用した盆栽について、図面を参照して説明する。先にも若干触れたように、給水が絶対条件となる生きた植物を使用する盆栽と、浸水により劣化するために水を極端に嫌うプリザーブド植物との共存には技術的な問題があった。盆栽における給水はただでさえ重要であり、かつデリケートな作業でもある。植物の種類はもとより、季節、天候等各種条件によって給水量を微妙に調整する必要があり、夏などには日に数回の給水が必要とされることもある。一方のプリザーブド植物は、水が掛かったり水が浸透したりすることによって劣化し、退色し、日持ちが極端に悪化するため、水からは極力隔離した状態にしておくことが必要である。
【００２２】
一方「苔」に関して言えば、盆栽においてコケ植物は重要な構成要素としての役割を果たすものとして珍重されている。これはコケ植物の有する特有の色や、盆栽というミニチュア化された造形の世界において、大きくは成長せずに築山状の特有の雰囲気を醸し出すコケ植物の特徴がむしろ有効に機能していることによる。このため、盆栽にはコケ植物が好んで使用されているが、盆栽の主対象物となる生きた草木に対する給水条件と、コケ植物に対する給水条件とが異なることもあり、その際には当然ながら主対象物である草木の扱いの方が優先されるものとなる。このために盆栽におけるコケ植物は、生きた草木と比較して長くは生育できないことが多い。コケ植物が生育不能となったり、枯れてしまったりした場合、これらは盆栽から取り除かれ、新たなコケ植物に植え替えられるのが普通である。すなわち、盆栽におけるコケ植物は、消耗品と同様に扱われることとなる。したがって、もしプリザーブド苔が盆栽に利用可能となるならば、手間もかからず、長持ちする「コケ植物」として本物以上の利用価値をも生じることが期待される。盆栽へのプリザーブド植物の応用は、盆栽への給水によるプリザーブド植物への悪影響を如何に回避するかにかかることになる。
【００２３】
図２（ａ）に示す本考案に係る第２の実施の形態では、そのような対応例の１つを示している。図２（ａ）において、盆栽２は、全体を収納する鉢２１と、鉢２１内部に充填される土壌２２と、土壌２２上に配置されたプリザーブド植物２３と、同じく土壌２２の上に配置された岩２４と、そして土壌２２に植え込まれた生きた草木２５とから構成されている。
【００２４】
鉢２１は、一般に盆栽に使用される鉢がそのまま使用可能であり、したがって底面には排水孔２１ａが開けられている。プリザーブド植物２３として図示の例ではプリザーブド苔が使用されており、この苔は自身の平面形状を模した形状の台板２３ａの上に接着剤などにより固定されている。台板２３ａには、下方に向けて固定用ピン２３ｂが固定されていることが望ましい。台板２３ａと固定用ピン２３ｂとはプラスチックなどで一体成型されていてもよく、あるいは別々の要素としてこれらをアセンブリしたものであってもよい。重要な点は、台板２３ａが遮水性（水の浸透を阻止する性質）を有していることで、この台板２３ａがプリザーブド植物２３と土壌２２の間に介在することによって、土壌２２からプリザーブド植物への水の浸透を阻止する役割を果たす。プリザーブド植物２３をこのように構成することにより、プリザーブド植物２３を台板２３ａと共に盆栽２の本体側から容易に着脱可能とすることができる。
【００２５】
装飾物としてここでは岩２４が使用されているが、その他先の実施の形態で記した他の装飾物などが使用されてもよく、あるいは、装飾物が使用されていなくてもよい。草木２５は、盆栽で使用対象となり得る植物であって、所有者によって剪定、強制屈曲などの園芸技巧の対象とされ栽培されるものであればよい。これに関しては当業者によく知られていることでもあり、ここでの詳細説明は省略する。なお、本実施の形態及び以降の各実施の形態では、先の第１の実施の形態とは異なって、少なくとも１つの生きている草木２５と、少なくとも１つのプリザーブド植物２３とが共存する盆栽が対象となっている。
【００２６】
図２（ａ）に示す本実施の形態における草木２５への給水時には、プリザーブド植物２３を台板２３ａ、ピン２３ｂごと土壌２２より分離し、給水が終了した後に再度土壌２２に差し込んで元の位置に戻すことができる。土壌２２に水分が含まれても台板２３ａの遮水効果によってプリザーブド植物２３まで水分が浸透することはない。プリザーブド植物２３の着脱は容易であるため、給水時に極端な手間を煩わせることもない。給水時以外の間においては、生きている草木２５とプリザーブド植物２３とが共存した状態で鑑賞することができ、また従来技術による生きたコケ植物もしくは他の草木を利用する場合のような個別の給水管理や、苔が枯れた場合の植え替えなどの手間はなく、プリザーブド植物２３を長期間に亘ってあたかも自然物であるかのような共存状態を維持することができる。
【００２７】
なお、上記の変形対応として、プリザーブド植物２３を台板２３ａに接着せず、分離したままとして、給水時にはプリザーブド植物２３のみを単体で外し、給水後にプリザーブド植物２３を台板２３ａの上に載置するようにしてもよい。この際、台板２３ａの表面には、上方に向かって突出する剣山状の短い針を１本もしくは複数本配置し、プリザーブド植物２３をこの針に突き刺すようにして固定することでもよい。また、台板２３ａは平坦状でなくてもお椀状に湾曲していてもよい。平面形状は任意である。
【００２８】
図２（ｂ）は、本実施の形態に係る他の態様の盆栽３の一部を示しており、ここではプリザーブド植物２３が、図の左側の分解図に示すように容器３１内に敷き詰められる充填材３２の上に固定され、これらを含む容器３１全体が盆栽３の土壌２２内に埋め込まれている点で図２（ａ）に示す盆栽２と相違している。図２（ｂ）では盆栽３は左側部分の一部のみを示しているが、それ以外の右側の部分は図２（ａ）に示す盆栽２に準ずるものであってもよい。
【００２９】
容器３１は、好ましくはプラスチック、陶磁器、ガラス等の遮水効果のある材料から形成され、図示のように円形もしくは角形などのプリザーブド植物２３を模した平面形状を有し、底の形状や深さは充填材３２が収納できるものであれば任意である。あるいは鉢２１のコーナの一角を占めるよう扇状の平面形状とすることもできる。充填材３２は、図１に示す第１の実施の形態で述べた充填材１２と同様である。
【００３０】
盆栽３をこのように構成することにより、草木２５への給水によって土壌２２に水分が浸透しても、容器３１の遮水効果によりその水分が土壌２２からブリザード植物２３まで浸透することはない。給水時には、プリザーブド植物２３の上部をビニールシートなどの遮水材で覆って水の落下を防止することでよく、給水後においても水の浸透を阻止することができる。
【００３１】
図２（ｂ）に示す盆栽３では、図２（ａ）に示す盆栽２と全く同様に、生きている草木２５とプリザーブド植物２３とを１つの盆栽の中で共存可能にするという特有の効果を奏するものとなる。なお、先の盆栽２においても、プリザーブド植物２３の上部をビニールシートなどで覆って水の落下を防止すれば、ブリザード部植物２３を盆栽２に留めたままで給水することは可能である。
【００３２】
さらに、盆栽２で説明したと同様に、プリザーブド植物２３を充填材３２に接着することなく分離したままとして、給水時にはプリザーブド植物２３のみを単体で外し、給水後にプリザーブド植物２３を充填材３２の上に載置して元に戻すようにすることもまた可能である。その際には、両面接着テープなどを使用してプリザーブド植物２３と充填材３２とを一時的に固定するようにしてもよい。あるいは、プリザーブド植物２３を充填材３２に接着した状態のままで給水時にこの両者を一緒に容器３１から取り出し、給水後にこれを再び容器３１内に戻すようにすることも可能である。
【００３３】
次に、本考案の第３の実施の形態に係る盆栽について、図面を参照して説明する。図３（ａ）は本実施の形態の盆栽４を示しており、盆栽４は、先の第２の実施の形態の変形として、鉢４１自身に仕切壁４１ａを設け、図の右側に位置する草木２５の占める領域と、図の左側に位置するプリザーブド植物２３の占める領域とをこの仕切壁４１ａで区画するよう構成している。草木２５の領域には土壌２２が充填されて従来技術による盆栽と同様に扱うことができ、一方、プリザーブド植物２３の領域には充填材３２が敷き詰められ、その上にプリザーブド植物２３が固定される（あるいは分離されたままでもよい。）。給水時にはプリザーブド植物２３の上をビニールシートなどの遮水材料で覆うか、もしくはプリザーブド植物２３を一時的に外すなど、対応は図２（ａ）、（ｂ）に示す先の実施の形態と同様である。土壌２２に浸透した水分は仕切壁４１ａに遮られてプリザーブド植物２３まで浸透することはない。
【００３４】
仕切壁４１ａがあるためにプリザーブド植物２３との共存専用の鉢４１となるが、プリザーブド植物２３を使用しない場合には、プリザーブド植物２３の領域にも土壌２２を充填することで通常の盆栽用の鉢として使用することも勿論可能である。仕切壁４１ａの土壌表面に現れる部分は、図３に示すように化粧砂１６で隠すことは可能であり、あるいは仕切壁４１ａの先端部を図中に破線で示すように上に向かって先細りの断面形状とすることにより、仕切壁４１ａの存在による違和感を最小化することができる。あるいは逆に、この先端部分を積極的に曝すようにして表面に波状の模様を付けるなどにより、あたかも溝に水が流れているかのように細工することもできる。その際、仕切壁４１ａは直線状でなくて、円弧状や屈曲状に形成してもよい。あるいは盆栽４の１つのコーナ部を占めるように形成してもよい。
【００３５】
図３（ｂ）は、本実施の形態における変形の態様を示している。同図において、ここでは仕切壁４１ａを使用することなく、鉢２１の内部の形態に倣った形状の２つ（もしくは３つ以上となってもよい）の容器４２、４３を配置し、そのおのおのを、例えば容器４２をプリザーブド植物用に、容器４３を生きた草木用に使用するなど区別し、容器４２には充填材３２を、容器４３には土壌２２をそれぞれ充填することにより、１つの鉢２１の中に生きた草木２５とプリザーブド植物２３とを共存させることが可能となる。生きた草木２５用の容器４３には、水抜き用の排水孔４３ａを設けておく。それぞれを専用の容器内に収めることによって容器４３内の水分が容器４２内に浸透することはなく、生きた草木２５とプリザーブド植物２３との共存が可能となる。容器４２，４３はプラスチック材を利用するなどにより容易に製造可能である。
【００３６】
次に、本考案の第４の実施の形態に係る盆栽について、図面を参照して説明する。図４は、本実施の形態に係る盆栽５を示しており、ここでは盆栽５は、組合せ式の鉢を使用することで本体部５ａと、分離部５ｂ、５ｃとにより分割して構成されている。本体部５ａは、鉢５１ａと、図示の例では鉢５１ａの内部に充填された土壌に配置された岩２４と生きている草木２５から構成されており、当該部分は給水に耐えるよう構成された、いわゆる従来技術における盆栽と全く同様な構成である。装飾物についてはこれまで同様、その組み合わせは任意である。これに対して分離部５ｂ、５ｃは、プリザーブド植物２３用に給水を回避するよう構成された部分であり、図示の例では鉢５１ｂと、その内部に敷き詰められた充填材に対してプリザーブド植物２３と岩２４とが配置された第１の分離部５ｂ、並びに鉢５１ｃと、その内部に敷き詰められた充填材に対して２つのプリザーブド植物２３が配置された第２の分離部５ｃにより構成されている。両分離部５ｂ、５ｃにプリザーブド植物２３と装飾物とをどのように配置するかは自在であり、図はその一例を示すものに過ぎない。両分離部５ｂ、５ｃには、当然ながら本体部５ａの給水が浸透することはなく、また給水時には分離して水が落下しないようにしてプリザーブド植物２３を保護し、給水後は３者を再び合体させて１つの盆栽５であるかのように見せることができる。２本の白抜き矢印は、その分離・合体動作を表わしている。
【００３７】
３者が組合わされた際には、それぞれの密着箇所に鉢５１ａ、５１ｂ、５１ｃの境界部分が土壌の表面に現れるが、これは境界高さを鉢の他の周囲よりも低くしたり、先細りにしたりするなどの工夫によって目立ち難くすることは可能である。また、絵画の分野では屏風の例に見られるように、区画がある程度顕在化しても看者にはそれほどの違和感を与えないことも考え得る。さらに、境界線を直線ではなく、曲線状などとして積極的に美観を与える工夫なども考えられる。
【００３８】
盆栽５を以上のように鉢を分離してこれを組み合わせて使用する組合せ式鉢で構成することにより、生きている草木２５とプリザーブド植物２３との共存が容易に図れることのほか、分離部５ｂ、５ｃの組み合わせに変化を与え、異なる情景配置をした別の盆栽分離部を用意しておいて気分に応じて組み合わせが異なる盆栽５を楽しむなどのメリットも生まれる。なお、図５に示す例では左右に分離部５ｂ、５ｃを設けているが、これをいずれか一方のみに設けることでもよく、あるいは三方、四方に設けることも可能である。さらなる変形としては、全体の平面形状が円形状または四角形状の盆栽の場合にその一部を部分的に切り欠いた形状で分離部を設けたり、あるいは中央に本体部、その周囲に環状の分離部を配置したりするなど、自在の組み合わせが可能である。
【００３９】
以上、本考案に係る盆栽の各実施の形態についてプリザーブド苔を例にして説明してきたが、本考案の適用はプリザーブド苔に限定されるものではなく、凡そプリザーブ処理がされた植物であれば本明細書の記載内容を全く同様にして適用することが可能である。
【産業上の利用可能性】
【００４０】
本考案に係る盆栽は、盆栽を製造し、販売する産業分野において利用することができる。
【符号の説明】
【００４１】
１〜５．盆栽、  ５ａ．（盆栽）本体部、５ｂ，５ｃ．（盆栽）分離部、  １１．鉢、  １２．充填材、  １３．プリザーブド植物、  １４．飾り木、  １５．岩、  １６．化粧砂、２１．鉢、  ２１ａ．排水孔、  ２２．土壌、  ２３．プリザーブド植物、  ２３ａ．台板、  ２３ｂ．固定用ピン、  ２４．装飾物（岩）、  ２５．草木、  ３１．容器、  ３２．充填材、  ４１．鉢、  ４１ａ．仕切壁、  ５１ａ，５１ｂ，５１ｃ．鉢。
【図１】
0003194240.tif 000003
【図２】
0003194240.tif 000004
【図３】
0003194240.tif 000005
【図４】
0003194240.tif 000006